(57)【特許請求の範囲】
【請求項１】
両側縁の折り畳み線に沿って折り畳まれると共に、上端の開口縁を開口した状態でカップに載置される支持用紙体と、前記支持用紙体の内側に配設され、前記支持用紙体の開口縁外側に貼着された濾過用袋体とを備え、当該濾過用袋体の内部に被抽出成分を有する内容物を直に収納するためのドリッパーにおいて、
前記支持用紙体の両側縁の折り畳み線が、逆ハの字状に形成されており、
前記支持用紙体の下縁両端部で前記折り畳み線より内側に、前記カップの上縁に係止する所定幅の切欠部が形成され、
前記支持用紙体の下縁中央部に、前記支持用紙体から長手方向に直交する外方に展開し、前記カップの上縁に当接するベース片が形成され、
前記ベース片に前記支持用紙体に至るまで切抜かれた窓部を有し、前記ベース片の根元に前記窓部の縁から斜めに延びる谷折り線を有していることを特徴とするドリッパー。
【請求項２】
前記ベース片が前記切欠部の内側に位置し、半楕円形であることを特徴とする請求項１に記載のドリッパー。
【請求項３】
前記ベース片が、前記支持用紙体の下方に形成された折り線を中心に外方に展開する三角形であり、
前記ベース片が展開されることにより、前記折り線が前記切欠部の上縁を形成することを特徴とする請求項１に記載のドリッパー。
【請求項４】
前記支持用紙体の開口縁両端部に、上方に向かって突出する保形用突片を設け、
前記支持用紙体の開口縁が開口した状態で、前記保形用突片が内方に折れ曲がることを特徴とする請求項１から３のいずれかに記載のドリッパー。
【発明の詳細な説明】
【技術分野】
【０００１】
本発明は、飲料を抽出するためにカップ等に載置されるドリッパーに関する。
【背景技術】
【０００２】
従来から、コーヒー等の飲料を簡便に抽出するものとして、濾過用の袋体を厚手の紙体に固定して支持する使い捨てのドリッパーが利用されている。例えば、特許文献１では、展開した矩形状支持体の蓋部を除去してから濾過袋を開封し、矩形状支持体の左右両側の一定領域を折り曲げて支持脚片とした状態でカップ等のカップに載置するコーヒー用の濾過器が開示されている。また、特許文献２では、ドリッパーの前後両面の上縁中央をそれぞれ指で掴んで外側に引っ張って袋体を開封し、筒状紙体の左右両側にある折込部を内方に折り込んで筒状紙体を変形させることで、袋体を開口状態にすることができるドリッパーが開示されている。
【先行技術文献】
【特許文献】
【０００３】
【特許文献１】特公昭６３−５２８８８号公報
【特許文献２】特開２００８−２４５８９４号公報
【発明の概要】
【発明が解決しようとする課題】
【０００４】
しかしながら、上記特許文献１の濾過器では、カップに載置する前に、支持体の展開、蓋部の除去、濾過袋の開封、支持脚の形成という複数の手順を経ることが必要なため、組立てが簡便でないという問題がある。一方、上記特許文献２のドリッパーでは、簡易に組み立てることが実現されているものの、筒状紙体の変形が小さく前後方向へ大きく膨出することがないため、袋体が十分に開口せず、熱湯の注ぎ入れが困難であるという問題がある。また、上記特許文献２のドリッパーをカップへ載置するには、係合フラップをカップの上縁部分に沿わせることになるが、上記特許文献２に開示された構成では、その位置をカップのサイズに対応させて変更することができないため、カップのサイズによっては、係合フラップを上縁部分に沿わせることができず、載置時にドリッパーがカップの上で動いてしまうという問題がある。
【０００５】
そこで、本発明は、熱湯の注ぎ入れに十分な開口を形成するとともに、カップの大きさが異なっても、載置時における安定性を確保することができる組立て容易なドリッパーを提供することを課題とする。
【課題を解決するための手段】
【０００６】
本発明は、前記従来の問題点に鑑みてなされたもので、
両側縁の折り畳み線に沿って折り畳まれると共に、上端の開口縁を開口した状態でカップに載置される支持用紙体と、前記支持用紙体の内側に配設され、前記支持用紙体の開口縁外側に貼着された濾過用袋体とを備え、当該濾過用袋体の内部に被抽出成分を有する内容物を直に収納するためのドリッパーにおいて、
前記支持用紙体の両側縁の折り畳み線が、逆ハの字状に形成されており、
前記支持用紙体の下縁両端部で前記折り畳み線より内側に、前記カップの上縁に係止する所定幅の切欠部が形成され、
前記支持用紙体の下縁中央部に、前記支持用紙体から長手方向に直交する外方に展開し、前記カップの上縁に当接するベース片が形成され、
前記ベース片に前記支持用紙体に至るまで切抜かれた窓部を有し、前記ベース片の根元に前記窓部の縁から斜めに延びる谷折り線を有しているものである。
【０００７】
前記構成により、支持用紙体の折り畳み線が、逆ハの字状に形成されているので、支持用紙体の開口面積を大きくし、安全、かつ確実にドリッパーに、例えば熱湯を注ぐことができる。支持用紙体の下縁両端部に、カップの上縁に係止する切欠部を形成したので、切欠部と切欠部との間の間隔が長くなり、支持用紙体をカップに安定的に載置することができる。また、切欠部が所定幅を有するので、カップの寸法が異なっても切欠部をカップの上縁に係止することができる。カップの上縁には、切欠部と共にベース片が支持用紙体の長手方向に直交する外方で当接するので、より安定的に支持用紙体をカップに載置することができる。
【０００８】
具体的な１つの手段として、前記ベース片が前記切欠部の内側に位置し、半楕円形であることが好ましい。
他の手段として、前記ベース片が、前記支持用紙体の下方に形成された折り線を中心に外方に展開する三角形であり、前記ベース片が展開されることにより、前記折り線が前記切欠部の上縁を形成してもよい。
【０００９】
前記支持用紙体の開口縁両端部に、上方に向かって突出する保形用突片を設け、
前記支持用紙体の開口縁が開口した状態で、前記保形用突片が内方に折れ曲がることが好ましい。
内方に折れ曲がった保形用突片が、折り畳み線に沿って支持用紙体の両側縁が折り畳まれるのを防止するので、支持用紙体の開口状態を保持し、熱湯の注ぎ入れに十分な開口を形成することができる。
【発明の効果】
【００１０】
本発明によれば、支持用紙体の折り畳み線が、逆ハの字状に形成されているので、支持用紙体の開口面積を大きくし、安全、かつ確実にドリッパーに、例えば熱湯を注ぐことができる。支持用紙体の下縁両端部に、カップの上縁に係止する切欠部を形成したので、切欠部と切欠部との間の間隔が長くなり、支持用紙体をカップに安定的に載置することができる。また、切欠部が所定幅を有するので、カップの寸法が異なっても切欠部をカップの上縁に係止することができる。カップの上縁には、切欠部と共にベース片が支持用紙体の長手方向に直交する外方で当接するので、より安定的に支持用紙体をカップに載置することができる。
【図面の簡単な説明】
【００１１】
【図１】（ａ）本発明の第１実施形態に係るドリッパーの正面図、（ｂ）は（ａ）の背面図。
【図２】図１のドリッパーを構成する支持用紙体の展開図。
【図３】図１のドリッパーをカップに載置して使用する状態の斜視図。
【図４】（ａ）本発明の第２実施形態に係るドリッパーの正面図、（ｂ）は（ａ）の背面図。
【図５】図４のドリッパーを構成する支持用紙体の展開図。
【図６】図４のドリッパーをカップに載置して使用する状態の斜視図。
【発明を実施するための形態】
【００１２】
次に、添付図面を参照して本発明の実施形態を詳細に説明する。
【００１３】
図１（ａ）および図１（ｂ）に、本発明の第１実施形態であるドリッパー１を示す。本実施形態のドリッパー１は、両側縁の折り畳み線３１に沿って折り畳まれると共に、上端の開口縁１２を開口した状態でカップに載置される支持用紙体１１と、支持用紙体１１の内側に配設され、開口縁１２の外面に貼着された濾過用袋体４１とを備えている（図３参照）。
【００１４】
支持用紙体１１は、図２に示すように、湾曲する開口縁１２を有する前面板１３と、前面板１３の一方の側部に折り畳み線３１を介して連接し、湾曲する開口縁１２を有する背面板１４と、前面板１３の他方の側部に折り畳み線３１を介して連接する扇形の貼付板１５とからなる。前面板１３と背面板１４とは略同一形状である。
【００１５】
折り畳み線３１の半径方向外側には、開口縁１２から外方に突出する保形用突片１７が設けられている。保形用突片１７は略楕円形状であり、その中央に延在する折り畳み線３１に沿って、支持用紙体１１と共に折り畳むことができる。また、保形用突片１７の半径方向内側には、内方に向かって湾曲し、折り畳み線３１と交差する山折り線３２が刻設されている。保形用突片１７は、この山折り線３２を介して支持用紙体１１と連接している。
【００１６】
前面板１３と背面板１４との半径方向内側縁部には、中心に向かって突出する半楕円形状のベース片２０が設けられている。ベース片２０の内部は、支持用紙体１１に至るまで切り抜かれた窓部２１が形成されている。ベース片２０の根元には、窓部２１の縁から斜めに延びる谷折り線３３が刻設されており、谷折り線３３の端部から半径方向内側に向かって、ベース片２０と支持用紙体１１とを分離する分離線３４が刻設されている。ドリッパー１を使用する際、ベース片２０は、谷折り線３３を中心に図中、手前側に向かって展開され、分離線３４により支持用紙体１１と切り離される。
【００１７】
ベース片２０の根元の両外側には、前面板１３と背面板１４との半径方向内側縁部から内方に向かって突出する内側突起２３が形成されている。また、折り畳み線３１の半径方向内側には、内側突起２３から所定間隔離れ、支持用紙体１１から内方に向かって突出する外側突起２４が設けられている。外側突起２４は、その中央に延在する折り畳み線３１に沿って、支持用紙体１１と共に折り畳むことができる。内側突起２３と外側突起２４との間には、直線状の所定幅を有する切欠部２５が形成されている。
【００１８】
濾過用袋体４１は濾紙からなり、内部にレギュラーコーヒ、緑茶や紅茶の茶葉など、被抽出成分を含有する内容物を充填収納している。図３に示すように、濾過用袋体４１の上縁中央部には、外側に折り曲げられ、開口縁１２の外面に貼着される貼着部４２が形成されている。
【００１９】
前記構成の支持用紙体１１と濾過用袋体４１とを用いて、本実施形態のドリッパー１を組み立てるには、まず、支持用紙体１１の折り畳み線３１に沿って、前面板１３と背面板１４とが重なるように折り畳む。そして、図１（ｂ）に示すように、貼付板１５を背面板１４の裏側に位置するように、折り畳み線３１に沿って折り畳み、背面板１４と貼付板１５とをのり等で貼り合わせる。
【００２０】
前述のように組み立てられた支持用紙体１１に、内容物を充填収納した濾過用袋体４１を組み付けるため、支持用紙体１１の開口縁１２から濾過用袋体４１を挿入する。そして、濾過用袋体４１の貼着部４２を外側に折り曲げ、開口縁１２の外面に貼着することにより、図１（ａ）に示すドリッパー１とすることができる。
【００２１】
ドリッパー１を使用するには、開口縁１２の中央を指で掴んで前面板１３と背面板１４とをそれぞれ、反対方向外側に引っ張り、支持用紙体１１と濾過用袋体４１を開封する。次に、保形用突片１７を山折り線３２に沿って内方に折り曲げ、支持用紙体１１を漏斗状に保形させる。このとき、内方に折れ曲がった保形用突片１７が、前面板１３と背面板１４との両側縁上部を支持し、折り畳み線３１に沿って支持用紙体１１が折り畳まれるのを防止する。従って、支持用紙体１１の開口状態を保持し、熱湯の注ぎ入れに十分な開口を形成することができる。
【００２２】
そして、前面板１３と背面板１４とのベース片２０をそれぞれ、谷折り線３３を中心に反対方向外側に展開する。谷折り線３３は、内側が下方に位置するように水平方向に対し斜めに延びているので、ベース片２０を展開すると、ベース片２０は中心線を対称に下方に湾曲する。次に、カップ５の上縁を切欠部２５に係止させると共にベース片２０をカップ５の上縁に載置して、ドリッパー１のカップ５へのセットを完了する。このとき、支持用紙体１１の下縁両端部に切欠部２５を形成したので、切欠部２５と切欠部２５との間の間隔が長くなり、ドリッパー１をカップ５に安定的に載置することができる。また、切欠部２５が所定幅を有するので、カップ５の寸法が異なっても切欠部２５をカップ５の上縁に係止することができる。カップ５の上縁には、切欠部２５と共に、ベース片２０が支持用紙体１１の長手方向に直交する外方で当接するので、より安定的にドリッパー１をカップ５に載置することができる。更に、ベース片２０が中心線を対称に下方に湾曲しているので、ベース片２０の内側がカップ５に載置され、安定的にドリッパー１をカップ５に載置することができる。最後に、濾過用袋体４１の開口部より熱湯を注ぎ入れて、所望量の抽出液をカップ５内に流下させる。
【００２３】
図４（ａ）および図４（ｂ）に、本発明の第２実施形態であるドリッパー２を示すが、図１の第１実施形態と同一の要素には同一の符号を付して説明を省略する。
【００２４】
図５に示すように、ドリッパー２の前面板１３と背面板１４との半径方向内側には、略三角形状のベース片５１が設けられている。このベース片５１と、前面板１３および背面板１４との間には、窓部２１の両側縁から延び、半径方向外側に向かって屈曲する第１分離線５２と、この第１分離線５２から斜めに延びる谷折り線５３（折り線）と、谷折り線５３から半径方向内側に向かって延びる第２分離線５４とが刻設されている。ベース片５１と支持用紙体１１とは、谷折り線５３を介して連接されている。ドリッパー２を使用する際、ベース片５１は、谷折り線５３を中心に図中、手前側に向かって展開され、第１および第２分離線５２、５４により支持用紙体１１と切り離される。
【００２５】
前面板１３と背面板１４との半径方向内側縁には、第１分離線５２に区切られることで、窓部２１に隣接して半径方向内側に突出する突出片５６が形成されている。また、第２分離線５４に区切られることで、半径方向内側に向かって突出する突起５７が形成されている。この突起５７は、その中央に延在する折り畳み線３１に沿って、支持用紙体１１と共に折り畳むことができる。ベース片５１が展開されると、突出片５６と突起５７との間には、谷折り線５３により直線状の所定幅を有する切欠部５８が形成される（図６参照）。
【００２６】
前記構成のドリッパー２を使用するには、図６に示すように、開口縁１２の中央を指で掴んで、支持用紙体１１と濾過用袋体４１を開封する。次に、保形用突片１７を内方に折り曲げ、支持用紙体１１を漏斗状に保形させる。そして、前面板１３と背面板１４とのベース片５１をそれぞれ、谷折り線５３を中心に反対方向外側に展開する。次に、カップ５の上縁を切欠部５８に係止させると共にベース片５１をカップ５の上縁に載置して、ドリッパー２のカップ５へのセットを完了する。以上のように、第１実施形態のドリッパー１と同様に、切欠き部５８とベース片５１とを用いて、安定的にドリッパー２をカップ５に載置することができる。また、谷折り線５３、すなわち切欠部５８は、内側が下方に位置するように水平方向に対して斜めに形成されているので、切欠部５８を介してカップ５に載置されたドリッパー２は、カップ５の上縁により中心に向かって付勢され、安定している。
【００２７】
本発明は、前記実施形態に限定されず、種々の変形が可能である。
切欠部２５、５８の所定幅に関しては、切欠部２５、５８が種々の寸法からなるカップ５の上縁に係止し、ドリッパー１、２をカップ５に安定的に載置できる限り、特に限定されない。
ベース片２０、５１の形状に関しては、半楕円形や三角形状を用いたが、これに限定されず、カップ５の上縁に当接し、ドリッパー１、２をカップ５に安定的に載置できる限り、特に限定されない。
【符号の説明】
【００２８】
１  ドリッパー（第１実施形態）
２  ドリッパー（第２実施形態）
５  カップ
１１  支持用紙体
１２  開口縁
１７  保形用突片
２０  ベース片
２５  切欠部
３１  折り畳み線
４１  濾過用袋体
５１  ベース片
５３  谷折り線（折り線）
５８  切欠部
【図１】
0005862170.tif 000002
【図２】
0005862170.tif 000003
【図３】
0005862170.tif 000004
【図４】
0005862170.tif 000005
【図５】
0005862170.tif 000006
【図６】
0005862170.tif 000007